(57)【特許請求の範囲】
【請求項１】
カメラケースの内部に設けられ被写体を撮像するカメラと、
前記カメラのレンズと対向する前記カメラケースの開口に設けられ、被写体からの光を透過する透光体と、
前記カメラケースの内側の前記透光体表面に形成された導電発熱部、この導電発熱部に直列接続されたサーモスタッド、このサーモスタッドに並列接続された抵抗を含み、周囲温度が前記サーモスタッドの設定温度以上になると、前記導電発熱部と前記抵抗に電源電圧を印加することにより前記導電発熱部を低発熱量で常時発熱させ、周囲温度が前記サーモスタッドの設定温度以下になると、電源電圧を前記導電発熱部に直接印加することにより前記導電発熱部を高発熱量で発熱する曇り止めガラス装置とを備えることを特徴とする監視カメラ装置。
【発明の詳細な説明】
【技術分野】
【０００１】
この発明は、特に、融雪機能を有する曇り止めガラス装置付き監視カメラ装置に関するものである。
【背景技術】
【０００２】
従来の監視カメラ装置における曇り止めガラス装置は、カメラケース内に配置された温度センサや湿度センサの信号に基づき、曇り止めガラス装置を通電／非通電することにより、加熱／非加熱の制御をしている（例えば、特許文献１参照）。また、従来の発熱装置は、抵抗を並列接続することで発熱量の増減の制御をしている（例えば、特許文献２参照）。
【０００３】
【特許文献１】特開平７−１０７２３４９号公報
【特許文献２】特開平１１−２５７７５６号公報
【発明の開示】
【発明が解決しようとする課題】
【０００４】
従来の監視カメラ装置における曇り止めガラス装置は、以上のように構成されていたので、発熱量の制御ができないという問題があった。具体的には、曇り止めガラス装置の発熱量を低く設定した場合、水蒸気等の曇り除去能力は十分であるが、ガラスに付着した雪氷を融かすには不充分であった。その結果、降雪時にはガラスに雪氷が付着して、カメラ装置による監視ができなくなるという課題があった。
【０００５】
一方、監視カメラ装置における曇り止めガラス装置の発熱量を高く設定した場合には、曇り除去能力及び融雪能力は十分となる。しかし、夏季における使用のように周囲温度が高くなった場合には、温度センサが高温を感知して電源電圧が遮断されるまで、曇り止めガラス装置の温度が過剰に上昇してしまう傾向にあった。その結果、過熱により曇り止めガラス装置及び周辺部品（ゴムパッキン、ワイパラバー等）が劣化し易くなるという課題があった。
【０００６】
また、監視カメラ装置における曇り止めガラス装置の発熱量を高く設定し、尚且つ、温度センサの設定温度を低した場合、曇り止めガラス装置の過剰な温度上昇を抑制できるので、ガラス装置及び周辺部品（ゴムパッキン、ワイパラバー等）の劣化を防止することは可能であった。しかし、周囲温度が低い状態で電源電圧が遮断されるため、曇りが発生し易くなってしまうという課題があった。
【０００７】
この発明は上記のような課題を解消するためになされたもので、ガラスの曇り除去と付着した雪氷の融雪が十分に行なえる曇り止めガラス装置を備えた監視カメラ装置を提供することを目的とする。また、周囲温度が高い場合には、発熱量を抑えることで、曇り止めガラス装置及び周辺部品（ゴムパッキン、ワイパラバー等）の劣化を防止できる曇り止めガラス装置を備えた監視カメラ装置を提供することを目的とする。
【課題を解決するための手段】
【０００８】
この発明に係る曇り止めガラス装置は、カメラケースの内部に設けられ被写体を撮像するカメラと、カメラのレンズと対向するカメラケースの開口に設けられ、被写体からの光を透過する透光体と、カメラケースの内側の透光体表面に形成された導電発熱部、この導電発熱部に直列接続されたサーモスタッド、このサーモスタッドに並列接続された抵抗を含み、周囲温度がサーモスタッドの設定温度以上になると、導電発熱部と抵抗に電源電圧を印加することにより導電発熱部を低発熱量で常時発熱させ、周囲温度がサーモスタッドの設定温度以下になると、電源電圧を導電発熱部に直接印加することにより導電発熱部を高発熱量で発熱する曇り止めガラス装置とを備えたものである。
【発明の効果】
【０００９】
この発明によれば、サーモスタッドの設定温度により、曇り止めガラス装置の発熱量を高発熱量と低発熱量に切替えることができるので、周辺温度に応じた発熱量の提供が可能となるという効果がある。
また、本発明の曇り止めガラス装置は、サーモスタッドの設定温度以上では曇り防止のみを目的としているので、低発熱量で常時発熱する。また、融雪等が必要な場合のみ高発熱量で発熱する。従って、サーモスタッドの設定温度を低く設定することができ、曇り止めガラス装置自体の最高到達温度も、従来の曇り止めガラス装置に比べて低くすることができる。その結果、曇り止めガラス装置及び周辺部品（ゴムパッキン、ワイパラバー等）の熱劣化を防止する効果がある。
更に、従来構成に対し、新たに抵抗を追加しただけの構成であるので、曇り止めガラス装置を備えた監視カメラが安価に実現できるという効果がある。
【発明を実施するための最良の形態】
【００１０】
実施の形態１．
以下、この発明の実施の形態１について説明する。図１は、実施の形態１に係る監視カメラ装置の構成を示す詳細図であり、図１（Ａ）は正面図を示し、図１（Ｂ）は図１（Ａ）の断面図を示している。図１において、監視カメラ装置１は、筐体となるカメラケース２の内部には、被写体（図示せず）を撮像して監視を行うカメラ３が配設され、カメラ３のレンズ３ａと対向する位置、即ち、カメラケース２の開口部には、曇り止めガラス装置４の透光体４ａが設けられている。透光体４ａは、被写体からの光信号を透過する、例えばガラス等から形成されている。曇り止めガラス装置４は、カメラケース２の内側に、透光体４ａの表面に形成された導電発熱部４ｂと、導電発熱部４ｂに直列接続されたサーモスタッド４ｃ、サーモスタッド４ｃに並列接続された抵抗４ｄを備えている。
【００１１】
また、カメラケース２と透光体４ａの間には、防水機能を有するゴムパッキン５が両者の隙間を埋めるように配置されている。更に、ワイパユニット６については、カメラケース２の外側に、透光体４ａの表面に対して円弧軌道を描く可動部４ｂが配置され、カメラケース２の内側には、可動部４ｂを回動させるモータ４ｃが配置されている。可動部４ｂの一端はモータ４ｃに軸止され、他端には、透光体４ａの表面に当接するようにワイパラバー６ａが取り付けられている。ワイパラバー６ａは、図１（Ａ）に示す透光体４ａ表面上の摺動面４ｅを摺動する。
【００１２】
次に、周囲温度が低下していく場合の、曇り止めガラス装置４の動作について説明する。図２は、実施の形態１に係る曇り止めガラス装置の回路図である。図２において、サーモスタッド４ｃの設定温度を０℃より高く設定する。例えば、サーモスタッド４ｃが５℃で「閉」状態、１５℃で「開」状態となるように設定した場合について、以下に説明する。
【００１３】
周囲温度が１５℃以上である場合には、サーモスタッド４ｃは「開」状態となり、導電発熱部４ｂと抵抗４ｄは直列接続状態となる。従って、電源電圧は導電発熱部４ｂと抵抗４ｄに印加され、導電発熱部４ｂは低発熱量で発熱し、透光体４ａの曇りを防止すると共に、曇り止めガラス装置４及び周辺部品（ゴムパッキン５、ワイパラバー６ａ等）の熱劣化を防止する。
【００１４】
一方、降雪時のように周囲温度が５℃以下の場合には、サーモスタッド４ｃが「閉」状態となり、電源電圧が直接、導電発熱部４ｂに印加されるので、導電発熱部４ｂは高発熱量を得る。その結果、降雪により透光体４ａに雪氷が付着しても、十分に融かすことが可能となる。
【００１５】
以上のように、この実施の形態１によれば、抵抗４ｄを追加することにより、曇り止めガラス装置４を低発熱量で動作させることが可能になり、周囲温度に応じた適切な発熱量の増減が可能になる。また、安価な構成で発熱量の増減の制御ができる。更に、曇り止めガラス装置４の最高到達温度を下げることができ、曇り止めガラス装置４及び周辺部品（ゴムパッキン５、ワイパラバー６ａ等）の熱劣化を防止する効果がある。
【図面の簡単な説明】
【００１６】
【図１】この発明の実施の形態１に係る監視カメラ装置の詳細図である。
【図２】この発明の実施形態１に係る曇り止めガラス装置の回路図である。
【符号の説明】
【００１７】
１  監視カメラ装置、２  カメラケース、３  カメラ、３ａ  レンズ、４  曇り止めガラス装置、４ａ  透光体、４ｂ  導電発熱部、４ｃ  サーモスタッド、４ｄ  抵抗、４ｅ  摺動面、５  ゴムパッキン、６  ワイパユニット、６ａ  ワイパラバー、６ｂ  可動部、６ｃ  モータ。
【図１】
0004368812.tif 000002
【図２】
0004368812.tif 000003